【手続補正書】
【提出日】平成17年3月9日(2005.3.9)
【手続補正１】
【補正対象書類名】明細書
【補正対象項目名】発明の名称
【補正方法】変更
【補正の内容】
【発明の名称】システムターゲットデコーダのオーディオバッファ、多重化方法および装置、再生方法および装置
【手続補正２】
【補正対象書類名】明細書
【補正対象項目名】特許請求の範囲
【補正方法】変更
【補正の内容】
【特許請求の範囲】
【請求項１】
ストリームの接続部分で発生するオーディオスキューを、前記オーディオスキューに対応するビデオストリームと離れないように多重化したストリームのシームレス再生を行なうシステムターゲットデコーダのオーディオバッファにおいて、
前記オーディオバッファにオーディオストリームが入力されるが前記システムターゲットデコーダのビデオバッファにビデオストリームが入力されない期間のデータ蓄積量の増加量に応じて、容量を増大させたことを特徴とするシステムターゲットデコーダのオーディオバッファ。
【請求項２】
請求項１に記載のシステムターゲットデコーダのオーディオバッファにおいて、前記データ蓄積量の増加量を
Ｔ×ＲVideo ×ＲAudio ÷（ＲVideo ＋ＲAudio ）
（但し、Ｔは前記オーディオバッファにオーディオストリームが入力されるが前記ビデオバッファにビデオストリームが入力されない期間との前記オーディオバッファにオーディオストリームが入力されないが前記ビデオバッファにビデオストリームが入力される期間との和、ＲVideo ，ＲAudio はそれぞれビデオストリーム，オーディオストリームの読み出しレート）
として算出することを特徴とするシステムターゲットデコーダのオーディオバッファ。
【請求項３】
第１のストリームと、該第１のストリームと接続される第２のストリームとを多重化する多重化方法において、
ストリームの接続部分で発生するオーディオスキューを、該オーディオスキューに対応するストリームと離れないように多重化すること
を特徴とする多重化方法。
【請求項４】
請求項３に記載の多重化方法において、
該方法は、システムターゲットデコーダを用いて多重化する方法であって、
前記接続部分で発生するオーディオスキューに応じて、前記システムターゲットデコーダのオーディオバッファの容量を増大させること
を特徴とする多重化方法。
【請求項５】
請求項３に記載の多重化方法において、
該方法は、システムターゲットデコーダを用いて多重化する方法であって、
前記システムターゲットデコーダのオーディオバッファにオーディオストリームが入力されるが前記システムターゲットデコーダのビデオバッファにビデオストリームが入力されない期間のデータ蓄積量の増加量に応じて、前記オーディオバッファの容量を増大させること
を特徴とする多重化方法。
【請求項６】
第１のストリームと、該第１のストリームと接続される第２のストリームとを多重化する多重化装置において、
ストリームの接続部分で発生するオーディオスキューを、該オーディオスキューに対応するストリームと離れないように多重化する手段
を備えたことを特徴とする多重化装置。
【請求項７】
ストリームの接続部分で発生するオーディオスキューを、前記オーディオスキューに対応するビデオストリームと離れないように多重化したストリームのシームレス再生を行なう再生方法において、
オーディオバッファにオーディオストリームが入力されるがビデオバッファにビデオストリームが入力されない期間のデータ蓄積量の増加量に応じて、前記オーディオバッファの容量を増大させること
を特徴とする再生方法。
【請求項８】
ストリームの接続部分で発生するオーディオスキューを、前記オーディオスキューに対応するビデオストリームと離れないように多重化したストリームのシームレス再生を行なう再生装置において、
前記再生装置のオーディオバッファにオーディオストリームが入力されるが前記再生装置のビデオバッファにビデオストリームが入力されない期間のデータ蓄積量の増加量に応じて、前記オーディオバッファの容量を増大させたこと
を特徴とする再生装置。
【手続補正３】
【補正対象書類名】明細書
【補正対象項目名】００１１
【補正方法】変更
【補正の内容】
【００１１】
【課題を解決するための手段】
本発明は、ストリームの接続部分で発生するオーディオスキューをそれに対応するビデオストリームと離れないように多重化したストリームのシームレス再生を行なうシステムターゲットデコーダのオーディオバッファにおいて、このオーディオバッファにオーディオストリームが入力されるがこのシステムターゲットデコーダのビデオバッファにビデオストリームが入力されない期間のデータ蓄積量の増加量に応じて、容量を増大させたことを特徴としている。
また本発明は、第１のストリームと、この第１のストリームと接続される第２のストリームとを多重化する多重化方法において、ストリームの接続部分で発生するオーディオスキューを、このオーディオスキューに対応するストリームと離れないように多重化することを特徴とする。
また本発明は、第１のストリームと、この第１のストリームと接続される第２のストリームとを多重化する多重化装置において、ストリームの接続部分で発生するオーディオスキューを、このオーディオスキューに対応するストリームと離れないように多重化する手段を備えたことを特徴とする。
また本発明は、ストリームの接続部分で発生するオーディオスキューを、このオーディオスキューに対応するビデオストリームと離れないように多重化したストリームのシームレス再生を行なう再生方法において、オーディオバッファにオーディオストリームが入力されるがビデオバッファにビデオストリームが入力されない期間のデータ蓄積量の増加量に応じて、このオーディオバッファの容量を増大させることを特徴とする。
また本発明は、ストリームの接続部分で発生するオーディオスキューを、このオーディオスキューに対応するビデオストリームと離れないように多重化したストリームのシームレス再生を行なう再生装置において、この再生装置のオーディオバッファにオーディオストリームが入力されるがこの再生装置のビデオバッファにビデオストリームが入力されない期間のデータ蓄積量の増加量に応じて、このオーディオバッファの容量を増大させたことを特徴とする。
【手続補正４】
【補正対象書類名】明細書
【補正対象項目名】００１２
【補正方法】変更
【補正の内容】
【００１２】
本発明によれば、オーディオバッファの容量を上記の量だけ増大させたことにより、ストリームの接続部分で発生するオーディオスキューをそれに対応するビデオストリームと離れないように多重化したストリームのシームレス再生を行なうシステムターゲットデコーダシステムに、オーディオバッファをオーバーフローさせることなくシームレス再生を行わせることが可能になる。
また本発明によれば、ストリームが境界で切り離されたものがクリップとなるので、クリップの境界とストリームの境界とが一致することにより、境界の意味が明確になり、クリップをファイル管理する場合にもオーディオスキューとそれに対応するビデオストリームとが同一のファイル内に含まれるようになる。
また本発明によれば、ストリームの接続部分で発生するオーディオスキューをそれに対応するビデオストリームと離れないように多重化したストリームのシームレス再生を行う再生装置に、オーディオバッファをオーバーフローさせることなくシームレス再生を行わせることが可能になる。